(57)【要約】      （修正有）【課題】遊技機の運搬を容易に行える遊技機運搬用台車を提供する。【解決手段】パチンコ台などの遊技機２を運搬するための遊技機運搬用台車１は、椅子型のフレーム枠構造体を有しており、下端の四隅にキャスター式の車輪が装着されている。フレーム構造体は四隅に立設した四本の垂直枠１５、１６、１８を備え、前側の垂直枠１５、１６の上下方向の中央より少し上側の間に、水平に配設された横枠が固着されており、後側の垂直枠１８の横枠と同じ高さの間に横枠が固着されている。横枠の上面に鋼製プレート板とマット板が重ねて装着されている。鋼製プレート板、マット板は横枠とともに台部４４を成す。台部４４の左側部分には、作業者が遊技機２を台部４４に載せる際、遊技機２の左下角部を持った左手Ｌを差し入れることのできる差し入れ部４６が設けられている。【選択図】図８
0003216361.tif 000002
【実用新案登録請求の範囲】
【請求項１】
遊技機を載せる台部を備えたフレーム枠構造の遊技機運搬用台車であって、
台部に遊技機の下側を掴んだ片方の手を差し入れ可能な差し入れ部を形成したこと、
を特徴とする遊技機運搬用車。
【請求項２】
差し入れ部の前端が台部の前端に開口するようにしたこと、
を特徴とする請求項１記載の遊技機運搬用台車。
【請求項３】
台部の上に載せた遊技機を凭せ掛ける背当て部を備えたこと、
を特徴とする請求項１または２記載の遊技機運搬用台車。
【請求項４】
台部の上に載せた遊技機を囲い、落下を防止する囲い部を備えたこと、
を特徴とする請求項１乃至３の内のいずか一項記載の遊技機運搬用台車。
【請求項５】
囲い部の一部または全部を着脱自在としたこと、
を特徴とする請求項１乃至４の内のいずれか一項記載の遊技機運搬用台車。
【考案の詳細な説明】
【技術分野】
【０００１】
本考案は遊技機運搬用台車に係り、とくに遊技店でパチンコ台等の遊技機の入れ替え作業を行うのに好適な遊技機運搬用台車に関する。
【背景技術】
【０００２】
パチンコ台は光・音・ディスプレイによる演出効果を狙って電子化・精密化が進み、台当たりの重量が重くなるとともに容積も大きくなっている。パチンコ店では定期的にパチンコ台の入れ替えを行っているが、深夜の限られた時間帯に一度に大量に行う場合が殆どであり、店内を手で抱かえて運搬する作業が大変な重労働となっていた。
【考案の概要】
【考案が解決しようとする課題】
【０００３】
本考案は上記した従来技術の問題に鑑み、遊技機の運搬を容易に行える遊技機運搬用台車を提供することを、その目的とする。
【課題を解決するための手段】
【０００４】
請求項１記載の考案では、
遊技機を載せる台部を備えたフレーム枠構造の遊技機運搬用台車であって、
台部に遊技機の下側を掴んだ片方の手を差し入れ可能な差し入れ部を形成したこと、
を特徴としている。
請求項２記載の考案では、
差し入れ部の前端は台部の前端に開口していること、
を特徴としている。
請求項３記載の考案では、
台部の上に載せた遊技機を凭せ掛ける背当て部を備えたこと、
を特徴としている。
請求項４記載の考案では、
台部の上に載せた遊技機を囲い、落下を防止する囲い部を備えたこと、
を特徴としている。
請求項５記載の考案では、
囲い部の一部または全部を着脱自在としたこと、
を特徴としている。
【考案の効果】
【０００５】
本考案によれば、遊技機を台車に載せて運搬できるので、手で抱かえて運ぶ場合に較べて、作業負担が大幅に軽減する。また、遊技機を載せる台部に遊技機の下側を掴んだ片方の手を差し入れ可能な差し入れ部を形成したので、遊技機を台部に載せる際に手を挟まずに済む。また、遊技機を台部から持ち上げる際に、遊技機の下側を手で容易に掴むことができる。
【図面の簡単な説明】
【０００６】
【図１】本考案の一実施例に係る遊技機運搬用台車の使用状態を示す外観斜視図である（実施例１）。
【図２】図１の遊技機運搬用台車のフレーム枠構造体を示す外観斜視図である。
【図３】図１の遊技機運搬用台車の組み立て方法の説明図である。
【図４】図１の遊技機運搬用台車の組み立て方法の説明図である。
【図５】図１の遊技機運搬用台車の組み立て方法の説明図である。
【図６】図１中の落下防止バーを示す外観斜視図である。
【図７】図１の遊技機運搬用台車の使用方法を示す説明図である。
【図８】図１の遊技機運搬用台車の使用方法を示す説明図である。
【図９】図１の変形例に係る遊技機運搬用台車の外観斜視図である。
【図１０】図９中の台部を構成する鋼製プレート板の外観斜視図である。
【図１１】図９中の台部を構成するマット板の外観斜視図である。
【図１２】図１の他の変形例に係る遊技機運搬用台車の外観斜視図である。
【図１３】図１中の落下防止部材の変形例を示す外観斜視図である。
【図１４】図１３の落下防止部材の使用方法を示す説明図である。
【考案を実施するための最良の形態】
【０００７】
以下、本考案の最良の形態を実施例に基づき説明する。
【実施例１】
【０００８】
図１乃至図６を参照して本考案の一実施例を説明する。図１は本考案に係る遊技機運搬用台車の使用状態を示す外観斜視図、図２は図１の遊技機運搬用台車のフレーム枠構造体を示す外観斜視図、図３乃至図５は図１の遊技機運搬用台車の組み立て方法の説明図、図６は図１中の落下防止バーを示す外観斜視図である。
図１において、１は椅子型の遊技機運搬用台車、２は遊技機運搬用台車１の上に載置された遊技機である。遊技機運搬用台車１の内、１０は椅子型のフレーム枠構造体、１１乃至１４はフレーム枠構造体３の下端の四隅に装着されたキャスター式の車輪である。
【０００９】
フレーム枠構造体１０は鋼製の角パイプからなり、図２に示す如く前側の左右に垂直に配設された２本の垂直枠１５と１６、後側の左右に垂直に配設された２本の垂直枠１７と１８を有しており、後側の垂直枠１７と１８は前側の垂直枠１５と１６より長尺に形成されている。前側の垂直枠１５と１６の下端部間と、上下方向の中央より少し上方位置の間に左右方向へ水平に配設された横枠１９、２０、後側の垂直枠１７と１８の下端部間と上端部間に左右方向へ水平に配設された横枠２１、２２、垂直枠１７と１８の内、横枠２０と同じ高さの間に左右方向へ水平に配設された横枠２３、前側の垂直枠１５と後側の垂直枠１７の下端部間に前後方向に水平に配設された縦枠２４、前側の垂直枠１６と後側の垂直枠１８の下端部間に前後方向に水平に配設された縦枠２５、前側の垂直枠１５と後側の垂直枠１７の内、横枠２０と同じ高さの間に前後方向に水平に配設された縦枠２６、前側の垂直枠１６と後側の垂直枠１８の内、横枠２０と同じ高さの間に前後方向に水平に配設された縦枠２７、前側の垂直枠１５の上端部と後側の垂直枠１７の間に前後方向に水平に配設された縦枠２８、前側の垂直枠１６の上端部と後側の垂直枠１８の間に前後方向に水平に配設された縦枠２９が溶接により一体的に固着されて成る。フレーム枠構造体１０の下端の四隅に鋼製で長方形状の車輪取り付けプレート３０乃至３３が溶接により固着されており、この車輪取り付けプレート３０乃至３３の下面にキャスター式の車輪１１乃至１４が装着されている。
【００１０】
後側の横枠２２の前面、左右の垂直枠１７、１８の内、横枠２３の上側部分の前面には、略長方形状の鋼製プレート板４０が垂直向きに溶接されており、左右の縦枠２６、２７の上面、前側の横枠２０の上面には略長方形状の鋼製プレート板４１が水平向きに溶接されている（図３、図４参照）。鋼製プレート板４０の前面には略同形でクッション性の有るマット板４２が貼着されており、鋼製プレート板４１の上面には略同形でクッション性の有るマット板４３が貼着されている（図４、図５参照）。横枠２０と２３、縦枠２６と２７、鋼製プレート板４１、マット板４３により、パチンコ台、スロットマシンなどの遊技機２を載置する台部４４が構成されている。垂直枠１７と１８の上半部、横枠２２と２３、鋼製プレート板４０、マット板４１により、パチンコ台、スロットマシンなどの遊技機２を凭せ掛け可能な背当て部４５が構成されている。
【００１１】
ところで、遊技機２がパチンコ台のとき、数十キログラムの重量と、横幅、高さ、奥行きの寸法が５２０ｃｍ×８２０ｃｍ×３４０ｃｍ程度有るため、作業者が遊技機２を持ち上げるとき、左手で遊技機２の左下角部を掴み、右手で右上角部を掴む姿勢をとる必要が有る。台部４４が単に平面であるとき、左手で遊技機２の左下角部を持った姿勢のまま台部４４に載せると、左手を遊技機２と台部４４の間に挟んでしまう。このため、遊技機２を台部４４に載せる直前に左手を遊技機２の左下角部から側部へ移動しなければならず、面倒である。
同様に、台部４４から遊技機２を持ち上げる際は、遊技機２を傾けて左下角部と台部４４の間に隙間を開け、この隙間に左手を差し入れて左下角部を持つ必要があり、面倒である。
【００１２】
本実施例では、台部４４の左側部分に作業者が左手を差し入れることのできる差し入れ部を形成し、遊技機２を台部４４に載せる際に遊技機２の左下角部を持っている左手をとくに移動しなくても、遊技機２を台部４４に載せると左手が差し入れ部の中に入って左手が挟まれることがなく、持ち上げる際は、遊技機２を傾けなくても左手を差し入れ部に差し込むだけで遊技機２の左下角部を持つことができるようにしてある。
【００１３】
すなわち、図３乃至図５に示す如く、鋼製プレート板４１とマット板４３の左側部分には、横幅が狭く、奥行き方向が長い長方形状の開口４１ａ、４３ａが穿設されており、これらの鋼製プレート板４１とマット板４３をフレーム枠構造体１０に装着することで、台部４４の左側に差し入れ部４６が形成されている。
【００１４】
図１に戻って前側の左右の垂直枠１５、１６の上端は正方形状の開口１５ａ、１６ａとなっており、これらの開口１５ａ、１６ａに左右方向に延びた落下防止部材５０が着脱自在に装着されている。落下防止部材５０は図６に示す如く、各々開口１５ａ、１６ａの中に嵌脱自在な角パイプ製で短尺の支柱５１、５２と、支柱５１と５２の上端部間に左右方向へ水平に溶接により固着された丸パイプ製のバー５３と、開口１５ａ、１６ａに嵌着されたキヤップ５４、５５から成る。落下防止部材５０、縦枠２８、２９は台部４４に載せられた遊技機２を囲み、台部４４から落下するのを防止する囲い部５６を構成する。
なお、後側の左右の垂直枠１７、１８の上端も正方形状の開口１７ａ、１８ａとなっており、これらの開口１７ａ、１８ａの側に落下防止部材５０を着脱自在に装着することもできる。
【００１５】
次に、図１、図７、図８を参照して上記した遊技機運搬用台車１の使用方法を説明する。
作業者がパチンコ台などの遊技機２を運搬したい場合、移動元の場所において、遊技機運搬用台車１の前側の垂直枠１５、１６から落下防止部材５０を外し（図７の矢印Ａ参照）、遊技機２の左下角部と右上角部を左手Ｌと右手Ｒで掴んで持ち上げ、遊技機運搬用台車１の前側から台部４４の上に載せる（図８の矢印Ｂ参照）。この際、左手は差し入れ部４６の中に差し入れるようにすることで、遊技機２の下面と台部４４の間に手を挟まずに済む。遊技機２は台部４４の上に立たせた状態から少し寝かせて、後側の背当て部４５に凭せ掛けるようにしても良い。
【００１６】
続いて垂直枠１５、１６の開口１５ａ、１６ａに落下防止部材５０の左右の支柱５１、５２を嵌挿し、装着状態とする（図１参照）。そして、遊技機運搬用台車１を押すか、引いて移動先へ運搬する。運搬中、遊技機２が動いても、横枠２８と２９、落下防止部材５０から成る囲い部５６が干渉して落下が防止される。
移動先に到着したならば、垂直枠１５、１６の開口１５ａ、１６ａから落下防止部材５０を抜いて外す。そして、左手Ｌを差し入れ部４６に差し入れ、遊技機２の左下角部を掴み、右手Ｒで遊技機２の右上角部を掴み、遊技機２を持ち上げて、台の設置予定箇所に設置すれば良い（図８の矢印Ｃ参照）。遊技機２の左下角部を掴む際、遊技機２の下側に差し入れ部４６の空間が開いているので、遊技機２を傾けなくても、容易かつ迅速に掴むことができる。
【００１７】
この実施例によれば、遊技機２を遊技機運搬用台車１に載せて運搬できるので、手で抱かえて運ぶ場合に較べて、作業負担が大幅に軽減する。また、遊技機２を載せる台部４４に遊技機２の下側を掴んだ片方の手を差し入れ可能な差し入れ部４６を形成したので、遊技機２を台部４４に載せる際に手を挟まずに済む。また、遊技機２を台部４４から持ち上げる際に、遊技機２を傾けなくても遊技機２の下側を手で容易に掴むことができる。
【００１８】
なお、上記した実施例では、差し入れ部が台部の前方向へ閉塞している例を挙げたが、本考案は何らこれに限定されず、台部の前方に向けて開口させても良い。
具体的には、図９の遊技機運搬用台車１Ａの台部４４Ａに示す如く、図１における前上側の横枠２０を、差し入れ部４６の横幅分だけ切除した左横枠２０ａと右横枠２０ｂに分ける。そして、左横枠２０ａと２０ｂの下側の垂直枠１５と１６の間に水平に配設された補強横枠２０ｃを追加して固着するとともに、左横枠２０ａの右端と補強横枠２０ｃの間に補強垂直枠２０ｄ、右横枠２０ｂの左端と補強横枠２０ｃの間に垂直に配設された補強垂直枠２０ｅを追加して固着する。また、台部４４Ａを構成する水平な鋼製プレート４１Ａには、前端が鋼製プレート４１Ａの前端に開口した開口４１ｂを穿設し（図１０参照）、水平なマット板４３Ａには、前端がマット板４３Ａの前端に開口した開口４３ｂを穿設する（図１１参照）。
図９の変形例によれば、差し入れ部４６Ａの前端を台部４４Ａの前端に開口させることができるので遊技機２を台部４４Ａの前寄りに置こうとしたときも、左下角部を掴んでいる左手が台部４４Ａとぶつからずに済む。また、台部４４Ａの前寄りに置かれた遊技機２に対して、左手を容易に遊技機２の下側に差し入れることができる。
【００１９】
また、差し入れ部を開口状とする代わりに、凹部状としても良い。具体的には、図１２の遊技機用運搬台車１Ｂに示す如く、台部４４Ｂの水平なマット板４３Ｂを厚目な部材とし、マット板４３Ｂに平面視が長方形状の凹部を形成し、差し入れ部４６Ｂとしても良い。この図１２の変形例によれば、水平な鋼製プレート板４１Ｂに開口を穿設しなくて良いので強度が上がる。
【００２０】
また、上記した実施例では、前側の落下防止部材を左右の垂直枠から取り出して外す例を挙げたが、図１３の落下防止部材５０Ｃに示す如く、図６中の支柱５１、５２を上下に長くした支柱５１Ｃ、５２Ｃに変更し、途中に二段ずつの関節部５７と５８、５９と６０を設けることにより、遊技機２の運搬時は支柱５１Ｃ２、５２Ｃのほぼ全体を垂直枠１５、１６の開口１５ａ、１６ａの中に挿入し、バー５３により遊技機２の落下を防止する一方、台部４４から遊技機２を出し入れする際は、図１４の遊技機運搬用台車１Ｃに示す如く示す如く関節部５８と６０の下側だけ開口１５ａ、１６ａの中に挿入し、二段の関節部５７と５８、５９と６０で９０度ずつ折り曲げてバー５３を横枠２０の前側に退避させることで、着脱自在となるようにしても良い。
また、上記した実施例及びその変形例では、差し入れ部を台部の左側に設ける例を示したが、右側に設けるようにしても良い。
【産業上の利用可能性】
【００２１】
この考案は、パチンコ店、ゲームセンタ等でパチンコ台、スロットマシンなどの遊技機を新設、入れ替えする場合などに用いる遊技機用運搬台車に適用可能である。
【符号の説明】
【００２２】
１  遊技機運搬用台車
２  遊技機
１０  フレーム枠構造体
１１乃至１４  キャスター式の車輪
１５乃至１８  垂直枠
１９乃至２３  横枠
２４乃至２８  縦枠
４４  台部
４５  背当て部
４６  差し入れ部
５０  落下防止部材
５６  囲い部
【図１】
0003216361.tif 000003
【図２】
0003216361.tif 000004
【図３】
0003216361.tif 000005
【図４】
0003216361.tif 000006
【図５】
0003216361.tif 000007
【図６】
0003216361.tif 000008
【図７】
0003216361.tif 000009
【図８】
0003216361.tif 000010
【図９】
0003216361.tif 000011
【図１０】
0003216361.tif 000012
【図１１】
0003216361.tif 000013
【図１２】
0003216361.tif 000014
【図１３】
0003216361.tif 000015
【図１４】
0003216361.tif 000016
【手続補正書】
【提出日】平成30年3月20日(2018.3.20)
【手続補正１】
【補正対象書類名】実用新案登録請求の範囲
【補正対象項目名】全文
【補正方法】変更
【補正の内容】
【実用新案登録請求の範囲】
【請求項１】
遊技機を載せる台部を備えたフレーム枠構造の遊技機運搬用台車であって、
台部に遊技機の下側を掴んだ片方の手を差し入れ可能な差し入れ部を形成したこと、
を特徴とする遊技機運搬用台車。
【請求項２】
差し入れ部の前端が台部の前端に開口するようにしたこと、
を特徴とする請求項１記載の遊技機運搬用台車。
【請求項３】
台部の上に載せた遊技機を凭せ掛ける背当て部を備えたこと、
を特徴とする請求項１または２記載の遊技機運搬用台車。
【請求項４】
台部の上に載せた遊技機を囲い、落下を防止する囲い部を備えたこと、
を特徴とする請求項１乃至３の内のいずれか一項記載の遊技機運搬用台車。
【請求項５】
囲い部の一部または全部を着脱自在としたこと、
を特徴とする請求項４記載の遊技機運搬用台車。